(57)【要約】【課題】下りリンクにおける他セル干渉を効果的に抑制できるようにリファレンス信号を多数用意すること。【解決手段】基地局は下りリンクに直交周波数分割多重(OFDM)方式を使用する移動通信システムで使用される。基地局は、制御信号を用意する手段と、リファレンス信号を用意する手段と、制御信号及びリファレンス信号を多重し、送信シンボルを生成する手段と、送信シンボルを逆フーリエ変換し、無線送信する手段とを有する。リファレンス信号には、ランダムな符号系列で構成される第１系列と或る直交符号系列群に属する第２系列とが乗算されている。同一セルに属する複数のセクタ各々では互いに異なる直交符号系列が使用される。２以上のセルで異なるランダムな符号系列がそれぞれ使用される。【選択図】図１
2008118310.tif 000002
【特許請求の範囲】
【請求項１】
下りリンクに直交周波数分割多重(OFDM)方式を使用する移動通信システムで使用される基地局であって、
制御信号を用意する手段と、
リファレンス信号を用意する手段と、
制御信号及びリファレンス信号を多重し、送信シンボルを生成する手段と、
送信シンボルを逆フーリエ変換し、無線送信する手段と、
を有し、前記リファレンス信号には、ランダムな符号系列で構成される第１系列と或る直交符号系列群に属する第２系列とが乗算されており、同一セルに属する複数のセクタ各々では互いに異なる直交符号系列が使用され、２以上のセルで異なるランダムな符号系列がそれぞれ使用される
ことを特徴とする基地局。
【請求項２】
直交符号系列が、位相角の異なる複数の位相因子の組で表現される
ことを特徴とする請求項１記載の基地局。
【請求項３】
同時に送信されるリファレンス信号の複数のサブキャリア成分に適用される位相因子の位相差が、所定の第１位相の整数倍である
ことを特徴とする請求項２記載の基地局。
【請求項４】
異なる時点及び異なるサブキャリア成分に適用される位相因子の位相差が、所定の第２位相だけずれている
ことを特徴とする請求項３記載の基地局。
【請求項５】
前記第２系列が、１セルに含まれるセクタ数より多く用意される
ことを特徴とする請求項１記載の基地局。
【請求項６】
第１のセルについて第１の直交符号系列群が用意され、第２のセルについて第２の直交符号系列群が用意され、前記第２の直交符号系列群は、前記第１の直交符号系列群で使用される位相角を所定量だけ回転することで導出される
ことを特徴とする請求項２記載の基地局。
【請求項７】
或るセルで送信されるリファレンス信号と、別のセルで送信されるリファレンス信号とが異なるサブキャリアにマッピングされる
ことを特徴とする請求項１記載の基地局。
【請求項８】
マルチキャストブロードキャストマルチメディアサービス(MBMS)用のサブフレームと、ユニキャスト用のサブフレームとが時間多重され、
ユニキャスト用のサブフレームについてはセル毎に異なるサブキャリアにリファレンス信号がマッピングされ、
MBMS用のサブフレームについては複数のセルに共通のサブキャリアにリファレンス信号がマッピングされる
ことを特徴とする請求項７記載の基地局。
【請求項９】
マルチキャストブロードキャストマルチメディアサービス(MBMS)用のサブフレームと、ユニキャスト用のサブフレームとが時間多重され、
ユニキャスト用のサブフレームについてはセル毎に異なるサブキャリアにリファレンス信号がマッピングされ、
MBMS用のサブフレームの一部の期間についてはセル毎に異なるサブキャリアにリファレンス信号がマッピングされ、
MBMS用のサブフレームの別の期間については複数のセルに共通のサブキャリアにリファレンス信号がマッピングされる
ことを特徴とする請求項７記載の基地局。
【請求項１０】
下りリンクに直交周波数分割多重(OFDM)方式を使用する移動通信システムで使用される基地局で使用される方法であって、
制御信号及びリファレンス信号を用意するステップと、
制御信号及びリファレンス信号を多重し、送信シンボルを生成するステップと、
送信シンボルを逆フーリエ変換し、無線送信するステップと、
を有し、前記リファレンス信号には、ランダムな符号系列で構成される第１系列と或る直交符号系列群に属する第２系列とが乗算されており、同一セルに属する複数のセクタ各々では互いに異なる直交符号系列が使用され、２以上のセル各々で異なるランダムな符号系列が使用される
ことを特徴とする方法。
【請求項１１】
下りリンクに直交周波数分割多重(OFDM)方式を使用する移動通信システムで使用されるユーザ装置であって、
基地局から受信した信号をフーリエ変換し、受信シンボルを導出する手段と、
受信シンボルから、ユーザデータ又は制御データを含むデータ信号及びリファレンス信号を分離する手段と、
前記リファレンス信号に、ランダムな符号系列で構成される第１系列と或る直交符号系列群に属する第２系列とを乗算する手段と、
リファレンス信号を用いてチャネル推定を行い、前記データ信号を復調する手段と、
を有し、同一セルに属する複数のセクタ各々では互いに異なる直交符号系列が使用され、２以上のセル各々で異なるランダムな符号系列が使用される
ことを特徴とするユーザ装置。
【請求項１２】
下りリンクに直交周波数分割多重(OFDM)方式を使用する移動通信システムで使用されるユーザ装置で使用される方法あって、
基地局から受信した信号をフーリエ変換し、受信シンボルを導出するステップと、
受信シンボルから、ユーザデータ又は制御データを含むデータ信号及びリファレンス信号を分離するステップと、
前記リファレンス信号に、ランダムな符号系列で構成される第１系列と或る直交符号系列群に属する第２系列とを乗算するステップと、
リファレンス信号を用いてチャネル推定を行い、前記データ信号を復調するステップと、
を有し、同一セルに属する複数のセクタ各々では互いに異なる直交符号系列が使用され、２以上のセル各々で異なるランダムな符号系列が使用される
ことを特徴とする方法。
【発明の詳細な説明】
【技術分野】
【０００１】
本発明は移動通信システムで使用される基地局、ユーザ装置及び方法に関連する。
【背景技術】
【０００２】
移動通信システムでは、チャネル推定、同期捕捉、セルサーチ、受信品質測定等の様々な目的でリファレンス信号が使用される。リファレンス信号は、通信前に送信側及び受信側でビットの値が既知の信号であり、既知信号、パイロット信号、参照信号、トレーニング信号等と言及されてもよい。リファレンス信号はセルを識別するセルIDと１対１に対応することが好ましく、従ってリファレンス信号は多数用意される必要がある。ワイドバンド符号分割多重アクセス(W-CDMA)方式の既存のシステムでは、下りリンクに512種類のリファレンス信号（符号系列）が用意されている（例えば、非特許文献１参照。）。
【非特許文献１】3GPP,TS25.211 “Physical  Channels  and  mapping  of  transport  channels  onto  physical  channels(FDD)”
【発明の開示】
【発明が解決しようとする課題】
【０００３】
W-CDMA方式のシステムでは、リファレンス信号は全てランダムシーケンスで構成されている。シーケンス同士の相関は比較的大きくなることもあるが、CDMAベースのシステムでは信号品質は主に電力で確保されるので大問題にはなりにくい。
【０００４】
しかしながら、W-CDMA方式の現行システムよりも広い帯域でOFDM（直交周波数分割多重）方式の下り通信を予定している将来の移動通信システムでは、他セル干渉をかなり抑圧することが望まれる。W-CDMA方式の現行システムと同様に全てランダム符号系列でリファレンス信号を用意することは、他セル干渉が比較的多くなってしまう点で、最良のソリューションではない。
【０００５】
本発明の課題は、下りリンクにおける他セル干渉を効果的に抑制できるようにリファレンス信号を多数用意することである。
【課題を解決するための手段】
【０００６】
本発明では、下りリンクに直交周波数分割多重(OFDM)方式を使用する移動通信システムで使用される基地局が使用される。基地局は、制御信号を用意する手段と、リファレンス信号を用意する手段と、制御信号及びリファレンス信号を多重し、送信シンボルを生成する手段と、送信シンボルを逆フーリエ変換し、無線送信する手段とを有する。前記リファレンス信号には、ランダムな符号系列で構成される第１系列と或る直交符号系列群に属する第２系列とが乗算されている。同一セルに属する複数のセクタ各々では互いに異なる直交符号系列が使用される。２以上のセルで異なるランダムな符号系列がそれぞれ使用される。
【発明の効果】
【０００７】
本発明によれば、下りリンクにおける他セル干渉を効果的に抑制できるようにリファレンス信号を多数用意することができる。
【発明を実施するための最良の形態】
【０００８】
本発明の一形態では、リファレンス信号に、ランダムな符号系列で構成される第１系列と或る直交符号系列群に属する第２系列とが乗算されている。同一セルに属する複数のセクタ各々では互いに異なる直交符号系列が使用され、２以上のセルで異なるランダムな符号系列がそれぞれ使用される。リファレンス信号に直交系列を利用するので効果的に干渉抑制を図ることができる。リファレンス信号として用意できる系列総数は、ランダムな符号系列数と直交系列数との積で決定されるので、リファレンス信号をどのように用意するかの自由度が従来より大きくなる。互いに同期する複数のセルで、セクタを直交符号系列で区別するようにすることで、複数セルにわたる広範な地域でリファレンス信号を直交させることができるようになる。
【０００９】
直交符号系列は、位相角の異なる複数の位相因子の組で表現されてもよい。
【００１０】
同時に送信されるリファレンス信号の複数のサブキャリア成分に適用される位相因子の位相差が、所定の第１位相の整数倍であってもよい。
【００１１】
異なる時点及び異なるサブキャリア成分に適用される位相因子の位相差が、所定の第２位相だけずれていてもよい。
【００１２】
第２系列は、１セルに含まれるセクタ数より多く用意されてもよい。
【００１３】
第１のセルについて第１の直交符号系列群が用意され、第２のセルについて第２の直交符号系列群が用意され、前記第２の直交符号系列群は、前記第１の直交符号系列群で使用される位相角を所定量だけ回転することで導出されてもよい。
【００１４】
或るセルで送信されるリファレンス信号と、別のセルで送信されるリファレンス信号とが異なるサブキャリアにマッピングされてもよい。
【００１５】
MBMS用のサブフレームと、ユニキャスト用のサブフレームとが時間多重され、ユニキャスト用のサブフレームについてはセル毎に異なるサブキャリアにリファレンス信号がマッピングされ、MBMS用のサブフレームについては複数のセルに共通のサブキャリアにリファレンス信号がマッピングされてもよい。
【００１６】
MBMS用のサブフレームと、ユニキャスト用のサブフレームとが時間多重され、ユニキャスト用のサブフレームについてはセル毎に異なるサブキャリアにリファレンス信号がマッピングされ、MBMS用のサブフレームの一部の期間についてはセル毎に異なるサブキャリアにリファレンス信号がマッピングされ、MBMS用のサブフレームの別の期間については複数のセルに共通のサブキャリアにリファレンス信号がマッピングされてもよい。
【００１７】
説明の便宜上、本発明が幾つかの実施例に分けて説明されるが、各実施例の区分けは本発明に本質的ではなく、２以上の実施例が必要に応じて使用されてよい。
【実施例１】
【００１８】
図１は、本発明の一実施例による基地局の概略ブロック図を示す。基地局は、MBMS処理部１１と、ユニキャストデータ処理部１２と、ＭＣＳ設定部１３と、第１多重部１４と、直並列変換部（Ｓ／Ｐ）１５と、第２多重部（ＭＵＸ）１６と、高速逆フーリエ変換部（ＩＦＦＴ）１７と、ガードインターバル挿入部１８と、ディジタルアナログ変換部（Ｄ／Ａ）１９と、無線パラメータ設定部２０と、MBMS用リファレンス信号生成部２１と、乗算部２２と、ユニキャスト用リファレンス信号生成部２３とを有する。ＭＢＭＳ処理部１１は、チャネルターボ符号器１１１と、データ変調器１１２と、インターリーバ１１３とを有する。ユニキャストデータ処理部１２は、ターボ符号器１２１と、データ変調器１２２と、インターリーバ１２３とを有する。ユニキャスト用リファレンス信号生成部２３は乗算部２４，２５を有する。
【００１９】
MBMS処理部１１は、マルチキャストブロードキャストマルチメディアサービス（ＭＢＭＳ）チャネルに関する処理を行う。ＭＢＭＳチャネルは、特定の又は不特定の多数のユーザに同報配信されるマルチメディア情報を含み、音声、文字、静止画、動画その他の様々なコンテンツを含んでよい。
【００２０】
符号器１１１はＭＢＭＳチャネルの誤り耐性を高めるためのチャネル符号化を行う。符号化は畳み込み符号化やターボ符号化等の当該技術分野で周知の様々な手法で行われてよい。チャネル符号化率は固定されていてもよいし、後述されるようにＭＣＳ設定部１３からの指示に応じて変更されてもよい。
【００２１】
データ変調器１１２は、ＱＰＳＫ、１６ＱＡＭ、６４ＱＡＭ等のような何らかの適切な変調方式でＭＢＭＳチャネルのデータ変調を行う。変調方式は固定されていてもよいし、後述されるようにＭＣＳ設定部１３からの指示に応じて変更されてもよい。
【００２２】
インターリーバ１１３はＭＢＭＳチャネルに含まれるデータの並ぶ順序を所定のパターンに従って並べ換える。
【００２３】
ユニキャストデータ処理部１２は特定の個々のユーザ宛のチャネルに関する処理を行う。
【００２４】
符号器１２１は、ユニキャストチャネルの誤り耐性を高めるための符号化を行う。符号化は畳み込み符号化やターボ符号化等の当該技術分野で周知の様々な手法で行われてよい。本実施例ではユニキャストチャネルについて適応変調符号化（AMC:  Adaptive  Modulation  and  Coding）制御が行われ、チャネル符号化率はＭＣＳ設定部１３からの指示に応じて適応的に変更される。
【００２５】
データ変調器１２２は、ＱＰＳＫ、１６ＱＡＭ、６４ＱＡＭ等のような何らかの適切な変調方式でユニキャストチャネルのデータ変調を行う。本実施例ではユニキャストチャネルについてＡＭＣ制御が行われ、変調方式はＭＣＳ設定部１３からの指示に応じて適応的に変更される。
【００２６】
インターリーバ１２３はユニキャストデータに含まれるデータの並ぶ順序を所定のパターンに従って並べ換える。
【００２７】
なお、図１には制御チャネルについての処理要素が明示されていないが、制御チャネルについても処理部１１又は１２と同様な処理が行われる。但し、制御チャネルについてＡＭＣ制御は行われなくてもよい。
【００２８】
ＭＣＳ設定部１３はＭＢＭＳチャネルに使用される変調方式及び符号化率の組み合わせ及びユニキャストチャネルに使用される変調方式及び符号化率の組み合わせを必要に応じて変更するように各処理要素に指示を与える。変調方式及び符号化率の組み合わせは、組み合わせ内容を示す番号（ＭＣＳ番号）で特定される。
【００２９】
第１多重部１４はＭＢＭＳチャネルとユニキャストチャネルを同じ周波数帯域で時間多重する。
【００３０】
直並列変換部（Ｓ／Ｐ）１５は直列的な信号系列（ストリーム）を並列的な信号系列に変換する。並列的な信号系列数は、サブキャリア数に応じて決定されてもよい。
【００３１】
第２多重部（ＭＵＸ）１６は第１多重部１４からの出力信号を表す複数のデータ系列と、MBMS用のリファレンス信号と、ユニキャスト用のリファレンス信号と、報知チャネルとを多重化する。多重化は、時間多重、周波数多重又は時間及び周波数多重の何れの方式でなされてもよい。
【００３２】
高速逆フーリエ変換部（ＩＦＦＴ）１７は、そこに入力された信号を高速逆フーリエ変換し、ＯＦＤＭ方式の変調を行う。
【００３３】
ガードインターバル挿入部１８は、ＯＦＤＭ方式の変調後のシンボルにガードインターバル（部）を付加することで、送信シンボルを作成する。周知のように、ガードインターバルは、伝送しようとするシンボルの先頭のデータを含む一連のデータを複製することで作成され、それを末尾に付加することによって送信シンボルが作成される。或いはガードインターバルは、伝送しようとするシンボルの末尾のデータを含む一連のデータを複製することで作成され、それを先頭に付加することによって送信シンボルが作成されてもよい。
【００３４】
ディジタルアナログ変換部（Ｄ／Ａ）１９はベースバンドのディジタル信号をアナログ信号に変換する。
【００３５】
無線パラメータ設定部２０は通信に使用される無線パラメータを設定する。無線パラメータ（群）は、ＯＦＤＭ方式のシンボルのフォーマットを規定する情報を含み、ガードインターバル部の期間ＴＧＩ、有効シンボル部の期間、１シンボル中のガードインターバル部の占める割合、サブキャリア間隔Δｆ等の値を特定する一群の情報を含んでよい。なお、有効シンボル部の期間はサブキャリア間隔の逆数１／Δｆに等しい。
【００３６】
無線パラメータ設定部２０は、通信状況に応じて或いは他の装置からの指示に応じて、適切な無線パラメータ群を設定する。例えば、無線パラメータ設定部２０は、送信対象がユニキャストチャネルであるかＭＢＭＳチャネルであるか否かに応じて、使用する無線パラメータ群を使い分けてもよい。例えば、ユニキャストチャネルには、より短期間のガードインターバル部を規定する無線パラメータ群が使用され、ＭＢＭＳチャネルには、より長期間のガードインターバル部を規定する無線パラメータ群が使用されてもよい。無線パラメータ設定部２０は、適切な無線パラメータ群を、その都度計算して導出してもよいし、或いは無線パラメータ群の複数の組を予めメモリに記憶させておき、必要に応じてそれらの内の１組が選択されてもよい。
【００３７】
MBMS用リファレンス信号生成部２１は、或るリファレンス信号にMBMS用のスクランブルコードを乗算し、MBMSチャネル用のリファレンス信号を用意する。
【００３８】
ユニキャスト用リファレンス信号生成部２３は、或るリファレンス信号（便宜上、基準信号と記されている）に、第１系列であるランダム符号系列と、第２系列である直交符号系列とを乗算し、ユニキャストチャネル用のリファレンス信号を用意する。セル及びセクタについてどのようにリファレンス信号が設定されるかについては、図４等を参照しながら後述される。
【００３９】
図２は本発明の一実施例によるユーザ装置を示す。図２には、アナログディジタル変換器（D/A）２０２、ガードインターバル除去部２０４、高速フーリエ変換部（FFT）２０６、分離部（DeMUX）２０８、乗算部２１０，２１２、チャネル推定部２１４及び復調部２１６が描かれている。
【００４０】
アナログディジタル変換器（D/A）２０２は、受信したベースバンドのアナログ信号をディジタル信号に変換する。
【００４１】
ガードインターバル除去部２０４は受信シンボルからガードインターバルを除去し、有効シンボル部分を残す。
【００４２】
高速フーリエ変換部（FFT）２０６は、入力された信号を高速フーリエ変換し、OFDM方式の復調を行う。
【００４３】
分離部（DeMUX）２０８は、受信信号からリファレンス信号とデータ信号（ユーザデータ又は制御データ）とを分離する。
【００４４】
乗算部２１０，２１２は、リファレンス信号に第１系列であるランダムな符号系列及び第２系列である直交符号系列を乗算する。なお、図示の簡明化のため明示されてはいないが、MBMSチャネルが受信された場合には、MBMS用のスクランブルコードが乗算される。
【００４５】
チャネル推定部２１４は、リファレンス信号に基づいてチャネル推定を行い、受信したデータ信号にどのようなチャネル補償がなされるべきかを決定する。
【００４６】
復調部２１６は、チャネル推定結果に基づいてデータ信号を補償し、送信され受信されたデータ信号を復元する。
【００４７】
図１のＭＢＭＳ処理部に入力されたＭＢＭＳチャネル及びユニキャストチャネル処理部に入力されたユニキャストチャネルは、各自のＭＣＳ番号で指定される適切な符号化率及び変調方式でチャネル符号化され及びデータ変調され、それぞれインターリーブ後に時間多重される。時間多重は様々な時間の単位でなされてよく、例えば無線フレームの単位でなされてもよいし、無線フレームを構成するサブフレームの単位でなされてもよい。
【００４８】
図３はサブフレームの単位で時間多重がなされる例を示す。一例としてサブフレームは例えば１．０ｍｓのような送信時間間隔（TTI:  Transmission  Time  Interval）に等しくてもよい。時間多重後のチャネルは必要に応じてリファレンス信号又は報知チャネルと多重された後に、高速逆フーリエ変換され、ＯＦＤＭ方式の変調が行われる。変調後のシンボルにはガードインターバルが付加され、ベースバンドのＯＦＤＭシンボルが出力され、それはアナログ信号に変換され、送信アンテナを経て無線送信される。受信側ではアナログ信号がディジタル信号に変換され、ガードインターバルが除去され、フーリエ変換が行われ、OFDM方式の復調が行われる。チャネル推定結果に基づいてデータ信号が補償され、送信され受信されたデータ信号が復元される。
【００４９】
図４は本発明の一実施例によるリファレンス信号を利用するセル及びセクタを示す。図示の簡明化のため、３つのセル及びその中の９つのセクタが代表的に説明されるが、他のセル及びセクタでも同様である。本実施例では、リファレンス信号は或る基準系列にランダムな符号系列（第１系列）と直交符号系列（第２系列）とが乗算されることで用意される。セルを識別するセル識別子（セルID）はリファレンス信号に１体１に対応し、ランダムな符号系列及び直交符号系列の組み合わせ数だけ用意できる。例えば、ランダムな符号系列数を170個及び直交符号系列を3つ用意すれば、全部で510個のリファレンス信号及びセルIDを用意することができる。図中、セルの模様が異なっているのは、セル毎に異なるランダムな符号系列が使用されることに対応する。a,b,cは或る直交符号系列群から選択された3つの直交符号系列である。何れのセルも直交符号系列a,b,cを共通にセクタに使用するが、セル毎に異なるランダムな符号系列が使用されるので、リファレンス信号は全体としては各セクタで異なるものになる。同一セルに含まれるセクタ間は互いに同期しているので、直交符号a,b,cを用いることでセクタ間の干渉を実質的にゼロにすることができる。各セルは一般的には非同期であり、干渉が或る低度は残ってしまうが、本実施例では同一セル内のセクタ間干渉が実質的にゼロになっているので、干渉量全体としては従来より少なくて済む。
【００５０】
図５は直交符号系列の具体例及びマッピング例を示す。図示の例では、
(1,1,1),
(1,exp(j2π/3), exp(j4π/3))及び
(1,exp(j4π/3), exp(j2π/3))
の３つの直交符号系列より成る系列群が使用され、３セクタの直交化が行われる。図５に示されるマッピング例では、直交性が充分に発揮できるようにマッピング方法が工夫されている。リファレンス信号は図示のような時間及び周波数にマッピングされ、ランダムな符号系列と直交符号系列とが乗算される。１つのサブフレームは７つのシンボル期間を含む。或るシンボル期間で同時に送信されるリファレンス信号の複数の周波数成分は、互いにｎθ（θの整数倍）だけ異なる位相角の成分を有する。同一サブフレーム内で異なるシンボル期間に送信される成分は互いに（φ＋ｎθ）だけ異なる位相角の成分を有する。第１のセクタについてはθ＝０且つφ＝０であり、第２のセクタについてはθ＝exp(j2π/3)且つφ＝exp(j4π/3)であり、第３のセクタについてはθ＝exp(j4π/3)且つφ＝exp(j2π/3)である。図示のようにマッピングすると、ケース１，ケース２及びケース３で囲まれた何れの３成分の組も１つの直交符号系列を構成することになる。
【００５１】
図６は図５と同様なマッピング例を示すが、リファレンス信号に適用されるランダムな符号系列の各成分c1j(j=1,2,3)と、直交符号系列の各成分(1,exp(j2π/3), exp(j4π/3))とが具体的に示されている。なお、第1セル（例えば、図４の４１）のランダムな符号系列が、(c11,c12,c13)であり、第２セル（例えば、図４の４２）のランダムな符号系列が、(c21,c22,c23)であり、第３セル（例えば、図４の４３）のランダムな符号系列が、(c31,c32,c33)であることが想定されている。図６では第１セル内のセクタ#1,#2,#3が送信するリファレンス信号を示す。どの２つのセクタの組み合わせについても、ケース1,2,3の枠内の３成分同士の内積（相関）はゼロになることが分かる。
【実施例２】
【００５２】
第１実施例では、各セルは互いに非同期であってもよいことを前提とし、直交符号系列数を１セル当たりのセクタ数だけ用意していた。本発明の第２実施例では、より多くの直交符号系列が用意され、いくつかのセルではランダム符号系列が共通に使用される。
【００５３】
図７は第１セル４１及び第２セル４２で同じランダム符号系列が使用される様子を示す。この場合において、第１セル４１及び第２セル４２は同期しているものとする。このようにすると、２セルにわたるより広い地理的範囲でリファレンス信号を直交化することができるようになる。例えば第１セル４１で直交符号cを利用するセクタは、第１セル４１内の隣接セクタだけでなく、第２セル４２でa,bを利用する２セクタに対しても直交化の恩恵を受けることができる。しかしながら、第１セル及び第２セルの中に、同じランダム符号系列及び同じ直交符号系列を使用するセクタが併存することになり、それらを適切に区別できなくなってしまうことが懸念される。本実施例では直交符号系列を更に多く用意し、このような懸念を解消する。
【００５４】
図８は本実施例によるリファレンス信号を利用するセル及びセクタを示す。図中、a,b,cだけでなくa’,b’,c’も直交符号系列を表す。直交符号系列数を２倍に増やし、ランダム符号系列数を半分にすることで、用意できるリファレンス信号の総数は第１実施例と同じになる。しかしながら本実施例では同期しているセルが増え、直交性を発揮できる地理的領域が広くなっているので、本実施例は干渉抑圧に有利である。
【００５５】
図９は別の直交符号系列の具体例を示す。上記のa,b,cを図５に対応させ、図９をa’,b’,c’の直交符号系列に関連付けてもよい。リファレンス信号のマッピング位置は図５及び図９で共通する。図９に示される直交符号系列は、図５に示されるものと位相角が異なっている。図５に示される直交符号系列において、θを(θ＋π)に置き換えると、図９に示される直交符号系列が得られる。このように比較的簡易な手法で直交符号系列が数多く確保できる。
【実施例３】
【００５６】
第２実施例では、図７に示されるように空間的に近接した場所で同じセルIDが付与されてしまう問題が、直交符号系列数を増やすことで解決された。
【００５７】
図１０に示されるように、本発明の第３実施例では、直交系列数を増やす代わりに、リファレンス信号が周波数分割多重（FDM）方式で区別される。但し、或るセクタのリファレンス信号がマッピングされた周波数に、別のセクタのデータ信号がマッピングされると、それらは干渉してしまうことが懸念される。従ってそのような事態が起こらないような、比較的無線リソースに余裕がある状況で本実施例が使用されることが好ましい。
【実施例４】
【００５８】
ところで、基地局からユーザ装置に送信されるチャネルには、ユニキャストチャネルだけでなくMBMSチャネルもある。同一内容のＭＢＭＳチャネルが複数のセルから送信され、個々のユーザ装置は、複数のセルから送信された同一内容のＭＢＭＳチャネルを受信する。受信されるＭＢＭＳチャネルは無線伝搬経路の長短に応じて多数の到来波又はパスを形成する。ＯＦＤＭ方式のシンボルの性質に起因して、到来波の遅延差がガードインターバルの範疇に収まっていたならば、それら複数の到来波はシンボル間干渉なく合成（ソフトコンバイニング）することができ、パスダイバーシチ効果に起因して受信品質を向上させることができる。このため、ＭＢＭＳチャネル用のガードインターバル長はユニキャストチャネル用のガードインターバル長より長く設定されることが好ましい。
【００５９】
図１１には７つのセルが描かれている。基地局１，２，３（BS1,BS2,BS3）による３つのセルで１つのエリア１が形成され、このエリア１内では同一のＭＢＭＳチャネルが送信されている。基地局１１，１２，１３（BS11,BS12,BS13）による３つのセルでも１つのエリア２が形成され、このエリア２内でも同一のＭＢＭＳチャネルが送信されているが、エリア１，２で送信されているＭＢＭＳチャネルは同一でなくてよい（一般的には異なる）。エリアを区別するために、同一のＭＢＭＳチャネルを伝送するエリア毎にスクランブルコードが用意され、同一エリア内のセルでは同一のスクランブルコードがＭＢＭＳチャネルに乗算されてもよい。
【００６０】
図１２はMBMSチャネルを伝送するサブフレームにおけるチャネルマッピング例を示す。１つの送信時間間隔（TTI）には２つのサブフレームが含まれ、各サブフレームは７つのシンボル期間をそれぞれ含む。先頭のシンボル期間では、ユニキャストチャネルに関する制御信号とその制御信号用のリファレンス信号（ユニキャスト用リファレンスシンボル）が周波数多重されている。この制御信号は例えば過去の上りデータチャネルに対する送達確認情報（ACK/NACK）等が含まれてよい。第２シンボル期間以降では、MBMSチャネル用のデータ（MBMSデータ）とMBMSチャネル用リファレンスシンボルとが時間及び周波数双方向に多重されている。
【００６１】
従って少なくとも第２シンボル期間以降の内容は全セルで共通にすべきである。上記の第３実施例の手法を利用しながらユニキャストチャネル及びMBMSチャネルを送信する場合、以下の手法が考えられる。
【００６２】
図１３に示されるように第１の手法では、ユニキャスト用TTIの中のリファレンスシンボル位置はセル毎に異なるが、MBMS用TTIの中は全セルで共通に揃えられる。
【００６３】
図１４に示されるように第２の手法では、ユニキャスト用TTIだけでなくMBMS用TTIの第１シンボル期間の中のリファレンスシンボル位置がセル毎に異なり、MBMS用TTIの第２シンボル期間以降が全セルで共通に揃えられる。
【００６４】
図１２−１４に示されるように、MBMS用TTIの中で、ユニキャストチャネルに関する情報（リファレンスシンボル及びデータシンボル）が先頭のシンボル期間に集められているので、MBMS用の情報とそれ以外を時間的に２分することができ、信号処理を容易にすることができる。
【図面の簡単な説明】
【００６５】
【図１】本発明の一実施例による基地局のブロック図を示す。
【図２】本発明の一実施例によるユーザ装置のブロック図を示す。
【図３】MBMSチャネルとユニキャストチャネルが時間多重される様子を示す図である。
【図４】本発明の一実施例によるリファレンス信号が使用される様子を示す図である。
【図５】直交符号系列の具体例及びマッピング例を示す図である。
【図６】図５のマッピング例における直交符号系列及びランダム符号系列の関係を示す図である。
【図７】同期したセルで直交符号系列によりセクタを区別する例を示す図である。
【図８】同期したセルで直交符号系列によりセクタを区別する別の例を示す図である。
【図９】直交符号系列の具体例及びマッピング例を示す図である。
【図１０】FDM方式でセルIDを区別する様子を示す図である。
【図１１】同一内容のMBMSチャネルをエリア毎に送信する様子を示す図である。
【図１２】MBMSチャネルを伝送するサブフレームにおけるチャネルマッピング例を示す。
【図１３】リファレンス信号のマッピング例を示す図である。
【図１４】リファレンス信号の別のマッピング例を示す図である。
【符号の説明】
【００６６】
１１  ＭＢＭＳ処理部
１１１  ターボ符号器
１１２  データ変調器
１１３  インターリーバ
１２  ユニキャストデータ処理部１２
１２１  ターボ符号器
１２２  データ変調器
１２３  インターリーバ
１３  ＭＣＳ設定部
１４  第１多重部
１５  直並列変換部（Ｓ／Ｐ）
１６  第２多重部（ＭＵＸ）
１７  高速逆フーリエ変換部（ＩＦＦＴ）
１８  ガードインターバル挿入部
１９  ディジタルアナログ変換部（Ｄ／Ａ）
２０  無線パラメータ設定部
２１  MBMS用リファレンス信号生成部
２３  ユニキャスト用リファレンス信号生成部
２２，２４，２５  乗算部
２０２  アナログディジタル変換器（D/A）
２０４  ガードインターバル除去部
２０６  高速フーリエ変換部（FFT）
２０８  分離部（DeMUX）
２１０，２１２  乗算部
２１４  チャネル推定部
２１６  復調部
【図１】
2008118310.tif 000003
【図２】
2008118310.tif 000004
【図３】
2008118310.tif 000005
【図４】
2008118310.tif 000006
【図５】
2008118310.tif 000007
【図６】
2008118310.tif 000008
【図７】
2008118310.tif 000009
【図８】
2008118310.tif 000010
【図９】
2008118310.tif 000011
【図１０】
2008118310.tif 000012
【図１１】
2008118310.tif 000013
【図１２】
2008118310.tif 000014
【図１３】
2008118310.tif 000015
【図１４】
2008118310.tif 000016